【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
画像形成装置において、
装置本体と、
現像カートリッジと、
前記現像カートリッジを装着した状態で前記装置本体に設けられた装置本体開口部に挿入されて前記装置本体に装着されるドラム支持枠体と、
を有し、
前記現像カートリッジは、
潜像を現像する現像ローラと、
前記現像ローラを回転させるための駆動力を受ける現像カップリングと、
を備え、
前記ドラム支持枠体は、
感光体ドラムと、
前記現像カートリッジを取り外し可能に装着するための装着部と、
前記現像ローラと前記感光体ドラムを接触させる第１位置と、前記現像ローラと前記感光体ドラムを離間させる第２位置とに移動可能な接離部材と、
を備え、
前記装置本体は、
前記装置本体開口部を開閉するドアと、
前記ドアが閉まる動作に連動して、前記現像カップリングと係合して前記現像カップリングに駆動力を伝える本体側現像カップリングと、
を備えることを特徴とする画像形成装置。
【請求項２】
前記本体側現像カップリングは、前記ドアが開く動作に連動して前記現像カップリングとの係合が解除されることを特徴とする請求項１に記載の画像形成装置。
【請求項３】
前記ドラム支持枠体が前記装置本体開口部に挿入されている状態で、前記接離部材は前記第１位置と前記第２位置との間を移動することを特徴とする請求項１または２に記載の画像形成装置。
【請求項４】
前記ドラム支持枠体が前記装置本体開口部に挿入される挿入方向は、前記感光体ドラムの軸線と交差する方向であり、
前記本体側現像カップリングは前記軸線に沿った方向に移動することを特徴とする請求項１乃至３のいずれか１項に記載の画像形成装置。
【請求項５】
前記装置本体は、前記接離部材を動かすための力を加える力付与部材を備えることを特徴とする請求項１乃至４のいずれか１項に記載の画像形成装置。
【請求項６】
前記力付与部材は前記現像カートリッジを介して、前記接離部材に力を加えることを特徴とする請求項５に記載の画像形成装置。
【請求項７】
前記ドラム支持枠体は、前記感光体ドラムを回転させるための駆動力を受けるドラムカップリングを備え、
前記装置本体は、前記ドアが閉まる動作に連動して、前記ドラムカップリングと係合して前記現像カップリングに駆動力を伝える本体側ドラムカップリングを備えることを特徴とする請求項１乃至６のいずれか１項に記載の画像形成装置。
【請求項８】
画像形成装置において、
装置本体と、
現像カートリッジと、
前記現像カートリッジを装着した状態で前記装置本体に設けられた装置本体開口部に挿入されて前記装置本体に装着されるドラム支持枠体と、
を有し、
前記現像カートリッジは、
潜像を現像する現像ローラを備え、
前記ドラム支持枠体は、
感光体ドラムと、
前記感光体ドラムを回転させるための駆動力を受けるドラムカップリングと、
前記現像カートリッジを取り外し可能に装着するための装着部と、
前記現像ローラと前記感光体ドラムを接触させる第１位置と、前記現像ローラと前記感光体ドラムを離間させる第２位置とに移動可能な接離部材と、
を備え、
前記装置本体は、
前記装置本体開口部を開閉するドアと、
前記ドアが閉まる動作に連動して、前記ドラムカップリングと係合して前記ドラムカップリングに駆動力を伝える本体側ドラムカップリングと、
を備えることを特徴とする画像形成装置。
【請求項９】
前記本体側ドラムカップリングは、前記ドアが開く動作に連動して前記ドラムカップリングとの係合が解除されることを特徴とする請求項８に記載の画像形成装置。
【請求項１０】
前記ドラム支持枠体が前記装置本体開口部に挿入されている状態で、前記接離部材は前記第１位置と前記第２位置との間を移動することを特徴とする請求項８または９に記載の画像形成装置。
【請求項１１】
前記ドラム支持枠体が前記装置本体開口部に挿入される挿入方向は、前記感光体ドラムの軸線と交差する方向であり、
前記本体側ドラムカップリングは前記軸線に沿った方向に移動することを特徴とする請求項８乃至１０のいずれか１項に記載の画像形成装置。
【請求項１２】
前記装置本体は、前記接離部材を動かすための力を加える力付与部材を備えることを特徴とする請求項８乃至１１のいずれか１項に記載の画像形成装置。
【請求項１３】
前記力付与部材は、前記現像カートリッジを介して、前記接離部材に力を加えることを特徴とする請求項１２に記載の画像形成装置。
【請求項１４】
画像形成装置の装置本体に対して、ドラム支持枠体に装着された状態で着脱される現像カートリッジにおいて、
ドラム支持枠体は、感光体ドラムと、前記現像カートリッジを取り外し可能に装着する装着部と、前記感光体ドラムと前記現像カートリッジに設けられた現像ローラを接触させる第１位置と、前記感光体ドラムと前記現像ローラを離間させる第２位置とに移動可能な接離部材と、を備えるものであって、
前記装置本体は、前記ドラム支持枠体が挿入される装置本体開口部を開閉するドアと、前記現像カートリッジに駆動力を伝えるための本体側現像カップリングと、を備えるものであって、
前記現像カートリッジは、
潜像を現像する前記現像ローラと、
前記第２位置に位置する前記接離部材から、前記現像ローラを前記感光体ドラムと離間するための力を受ける力受け部と、
前記ドアが閉まる動作に連動して前記本体側現像カップリングと係合し、前記現像ローラを回転させるための駆動力を受ける現像カップリングと、
を有することを特徴とする現像カートリッジ。
【請求項１５】
前記現像カップリングは、前記ドアが開く動作に連動して前記本体側現像カップリングとの係合が解除されることを特徴とする請求項１４に記載の現像カートリッジ。
【請求項１６】
前記ドラム支持枠体が前記装置本体開口部に挿入されている状態で、前記現像ローラは、前記感光体ドラムと接触する位置と前記ドラムから離間する位置とに移動することを特徴とする請求項１４または１５に記載の現像カートリッジ。
【請求項１７】
前記現像カートリッジは、ドラム支持枠体に装着された状態で、前記現像ローラの軸線と交差する方向に沿って前記装置本体開口部に挿入され、
前記現像カップリングは前記軸線に沿って移動する前記本体側現像カップリングと係合することを特徴とする請求項１４乃至１６のいずれか１項に記載の現像カートリッジ。
【請求項１８】
現像カートリッジを装着した状態で画像形成装置の装置本体に設けられた装置本体開口部に挿入されて前記装置本体に装着されるドラム支持枠体において、
現像カートリッジは、潜像を現像する現像ローラと、前記現像ローラを回転させるための駆動力を受ける現像カップリングと、を備えるものであり、
前記装置本体は、前記装置本体開口部を開閉するドアと、前記現像カップリングと係合して前記現像カップリングに駆動力を伝える本体側現像カップリングと、を備えるものであって、
前記ドラム支持枠体は、
感光体ドラムと、
前記現像カートリッジを取り外し可能に装着するための装着部と、
前記現像ローラと前記感光体ドラムを接触させる第１位置と、前記現像ローラと前記感光体ドラムを離間させる第２位置とに移動可能な接離部材と、
を有し、
前記ドアが閉まる動作に連動して、前記現像カップリングと前記本体側現像カップリングとを係合させるために、前記現像カップリングを前記ドラム支持枠体から露出させるこ
とを特徴とするドラム支持枠体。
【請求項１９】
前記ドラム支持枠体が前記装置本体開口部に挿入されている状態で、前記接離部材は前記第１位置と前記第２位置との間を移動することを特徴とする請求項１８に記載のドラム支持枠体。
【請求項２０】
前記ドラム支持枠体が前記装置本体開口部に挿入される挿入方向は、前記感光体ドラムの軸線と交差する方向であり、
前記本体側現像カップリングは前記軸線に沿った方向に移動することを特徴とする請求項１８または１９に記載のドラム支持枠体。
【請求項２１】
前記接離部材は、前記装置本体に設けられた力付与部材から力を受けることで、移動することを特徴とする請求項１８乃至２０のいずれか１項に記載のドラム支持枠体。
【請求項２２】
前記接離部材は、前記力付与部材から前記現像カートリッジを介して力を受けることを特徴とする請求項２１に記載のドラム支持枠体。
【請求項２３】
現像カートリッジを装着した状態で画像形成装置の装置本体に設けられた装置本体開口部に挿入されて前記装置本体に装着されるドラム支持枠体において、
現像カートリッジは、潜像を現像する現像ローラを備えるものであり、
前記ドラム支持枠体は、
感光体ドラムと、
前記感光体ドラムを回転させるための駆動力を受けるドラムカップリングと、
前記現像カートリッジを取り外し可能に装着するための装着部と、
前記現像ローラと前記感光体ドラムを接触させる第１位置と、前記現像ローラと前記感光体ドラムを離間させる第２位置とに移動可能な接離部材と、
を有し、
前記装置本体は、
前記装置本体開口部を開閉するドアと、
前記ドラムカップリングと係合して前記ドラムカップリングに駆動力を伝える本体側ドラムカップリングと、
を備えるものであって、
前記ドラムカップリングは、前記ドアが閉まる動作に連動して移動する前記本体側ドラムカップリングと係合することを特徴とするドラム支持枠体。
【請求項２４】
前記ドラム支持枠体が前記装置本体開口部に挿入されている状態で、前記接離部材は前記第１位置と前記第２位置との間を移動することを特徴とする請求項２３に記載のドラム支持枠体。
【請求項２５】
前記ドラム支持枠体が前記装置本体開口部に挿入される挿入方向は、前記感光体ドラムの軸線と交差する方向であり、
前記本体側ドラムカップリングは前記軸線に沿った方向に移動することを特徴とする請求項２３または２４に記載のドラム支持枠体。
【請求項２６】
前記接離部材は、前記装置本体に設けられた力付与部材から力を受けることで、移動することを特徴とする請求項２３乃至２５のいずれか１項に記載のドラム支持枠体。
【請求項２７】
前記接離部材は、前記力付与部材から前記現像カートリッジを介して力を受けることを特徴とする請求項２６に記載のドラム支持枠体。
【手続補正２】
【補正対象書類名】明細書
【補正対象項目名】発明の名称
【補正方法】変更
【補正の内容】
【発明の名称】画像形成装置、現像カートリッジ、ドラム支持枠体
【手続補正３】
【補正対象書類名】明細書
【補正対象項目名】００１０
【補正方法】変更
【補正の内容】
【００１０】
本発明の目的は、感光体ドラムを支持するドラム支持枠体に現像カートリッジを装着した状態で装置本体内に装着する画像形成装置において、感光体ドラムと現像ローラとを接離可能にすることにある。
【手続補正４】
【補正対象書類名】明細書
【補正対象項目名】００１２
【補正方法】変更
【補正の内容】
【００１２】
すなわち、本発明の画像形成装置の代表的な構成は、
画像形成装置において、
装置本体と、
現像カートリッジと、
前記現像カートリッジを装着した状態で前記装置本体に設けられた装置本体開口部に挿入されて前記装置本体に装着されるドラム支持枠体と、
を有し、
前記現像カートリッジは、
潜像を現像する現像ローラと、
前記現像ローラを回転させるための駆動力を受ける現像カップリングと、
を備え、
前記ドラム支持枠体は、
感光体ドラムと、
前記現像カートリッジを取り外し可能に装着するための装着部と、
前記現像ローラと前記感光体ドラムを接触させる第１位置と、前記現像ローラと前記感光体ドラムを離間させる第２位置とに移動可能な接離部材と、
を備え、
前記装置本体は、
前記装置本体開口部を開閉するドアと、
前記ドアが閉まる動作に連動して、前記現像カップリングと係合して前記現像カップリングに駆動力を伝える本体側現像カップリングと、
を備えることを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
以上説明したように、本発明によれば、感光体ドラムを支持するドラム支持枠体に現像カートリッジを装着した状態で装置本体内に装着する画像形成装置において、感光体ドラムと現像ローラとを接触離間可能にすることができる。
【手続補正７】
【補正対象書類名】明細書
【補正対象項目名】００４３
【補正方法】変更
【補正の内容】
【００４３】
また、図４に示すように、ガイド部１４Ｌの下方には、感光体ドラム1へ駆動を伝達するためのドラムカップリング部材（本体側ドラムカップリング）２５、及び現像ローラ４０に駆動を伝達するための現像カップリング部材（本体側現像カップリング）２６が水平方向に等間隔に配置されている。ドラムカップリング部材２５及び現像カップリング部材２６は不図示の駆動源からの駆動力をプロセスカートリッジPに伝達する。ドラムカップリング部材２５及び現像カップリング部材２６はドア１０を開いた状態では、側壁内に退避した状態となっていて、ドア１０を閉める動作に連動してプロセスカートリッジP側に進入する構成となっている。
【手続補正８】
【補正対象書類名】明細書
【補正対象項目名】００５８
【補正方法】変更
【補正の内容】
【００５８】
図８に示すように、プロセスカートリッジＰの一端部には、装置本体側のドラムカップリング部材２５より駆動力を受けるためのカップリング部材（カートリッジ側のドラムカップリング）４７が回転可能に支持されている。また、現像カップリング部材２６より駆動力を受けるためのカップリング部材（カートリッジ側の現像カップリング）４５も回転可能に支持されている。
【手続補正９】
【補正対象書類名】明細書
【補正対象項目名】０１１１
【補正方法】変更
【補正の内容】
【０１１１】
図２３に示すように、感光体カートリッジ５０の一端部には、装置本体側のドラムカップリング部材２５より駆動力を受けるためのカップリング部材（カートリッジ側のドラムカップリング）４７が回転可能に支持されている。カップリング部材４７は、感光体ドラム１の一端に設けられていて、装置本体側からカップリング部材４７が受けた駆動力によって、感光体ドラム１は回転する。
【手続補正１０】
【補正対象書類名】明細書
【補正対象項目名】０１５６
【補正方法】変更
【補正の内容】
【０１５６】
＜引き出しユニット（引き出し部材（支持部材））の装着部＞
特に図３７を参照して、装置本体における引き出しユニット（引き出し部材、ドラム支持枠体）の装着部の構成について説明する。図３７は本発明の実施例３に係る画像形成装
置の装置本体における引き出しユニットの装着部を示す斜視図である。なお、図３７においては、装着部の構成が分かり易いように、装置本体を構成する部材（部品）のうち、スキャナユニット等を省略して示している。また、図３７中の（ａ）と（ｂ）はそれぞれ異なる方向から見た斜視図を示している。
【手続補正１１】
【補正対象書類名】明細書
【補正対象項目名】０１５７
【補正方法】変更
【補正の内容】
【０１５７】
装置本体フレームの内壁面には、後述する引き出しユニット（ドラム支持枠体）Ｕ３の移動方向を案内する一対のガイド部材１４ＲＸ，１４ＬＸがそれぞれ対向するように設けられている。これらのガイド部材１４ＲＸ，１４ＬＸは、後述する引き出し部材６３Ｘの被ガイド部１３ａ，１３ｂ，１３ｃ，１３ｄ（図３８参照）をガイドする、断面がコの字状のレール状部材である。また、これらのガイド部材１４ＲＸ，１４ＬＸは、引き出し部材６３Ｘを装置本体の外部に引き出す位置から装置本体の内部に収納させる位置まで案内できるように、装置本体の入口付近（ドア１０付近）から奥側まで略水平方向に伸びるように設けられている。
【手続補正１２】
【補正対象書類名】明細書
【補正対象項目名】０１６３
【補正方法】変更
【補正の内容】
【０１６３】
更に、引き出し部材６３Ｘの一方の側壁には、上記の現像カップリング部材（本体側現像カップリング）２６が進入する開口部１３ｌが設けられている。現像カップリング部材２６は、ドア１０を閉める動作に連動して開口部１３ｌに進入するように構成されている。この開口部１３ｌから進入した現像カップリング部材２６は、現像カートリッジ６０Ｘのカップリング部材（カートリッジ側の現像カップリング）４５Ｘ（後述する図４０参照）と係合する。これにより、装置本体側の不図示の駆動源から、装置本体側の現像カップリング部材２６と現像カートリッジ６０Ｘ側のカップリング部材４５Ｘとを介して現像カートリッジ６０Ｘに駆動力が伝達される。
【手続補正１３】
【補正対象書類名】明細書
【補正対象項目名】０１７８
【補正方法】変更
【補正の内容】
【０１７８】
装置本体には、上記の通り、一対の押圧部材６５Ｘ，６６Ｘが設けられている。これらの押圧部材（力付与部材）６５Ｘ，６６Ｘは、画像形成の指令（画像形成信号）によって、不図示の駆動源により駆動され、下方に移動する。そして、これら押圧部材６５Ｘ，６６Ｘが現像カートリッジ６０Ｘの両側面にそれぞれ設けられた突起（力受け部）６１Ｘを下方に向かって押圧する。この押圧力によって、一対の突起６１Ｘは接離部材８１をバネ８２の付勢力に抗して下方に押し下げる。これにより現像カートリッジ６０Ｘに設けられた上記一対の被ガイド部がガイド部１３ｑに沿って下方に移動し、その位置決め部（溝の溝底部分）に当接して止まる。